【手続補正書】
【提出日】平成20年7月11日(2008.7.11)
【手続補正１】
【補正対象書類名】明細書
【補正対象項目名】特許請求の範囲
【補正方法】変更
【補正の内容】
【特許請求の範囲】
【請求項１】  移動端末中に記録されたデータを保護する方法において、
前記データの保護を要求することを示す保護要求情報を位置登録局内の保護要求記録手段に記録する第1のステップと、
前記移動端末が基地局と交信可能なエリア内に存在するか否かを判定する第２のステップと、
前記移動端末が前記基地局と交信可能なエリア内に存在し、且つ、前記保護要求記録手段に保護要求情報が記録されている場合は前記移動端末のキー操作を無効にし、前記移動端末が前記基地局と交信不可能なエリアに存在しているときは、パスワードが入力されたときに該パスワードが正しいか否かを判定する第３のステップと、
入力されたパスワードが正しくないときは前記移動端末のキー操作を無効にし、入力されたパスワードが正しいときは該パスワード以外のキー操作を無効にする第４のステップと
を含む移動端末に記録されたデータを保護する方法。
【請求項２】  前記第４のステップを経過した移動端末が前記基地局と交信可能なエリア内に移動したとき、前記移動端末のキー操作を無効にしたまま、該移動端末内のデータを前記位置登録局内のデータベースに転送する第５のステップと、
前記データを受信した前記位置登録局が、受信したデータを前記データベース内に保存する第６のステップと
を含む請求項１に記載の移動端末に記録されたデータを保護する方法。
【請求項３】  さらに、前記位置登録局が、前記移動端末内のデータを該位置登録局のデータベースに保存した後に、前記移動端末に対してデータ消去命令を送出する第７のステップと、
前記移動端末が、受信したデータ消去命令に基づいて、該移動端末内のデータを消去する第８のステップと
を含む請求項２に記載の移動端末に記録されたデータを保護する方法。
【請求項４】  さらに、前記移動端末の保護要求情報が前記保護要求記録手段より抹消されたとき、要求により、前記データベースに保存されている前記移動端末のデータは該移動端末へダウンロードされる第９のステップを含む
請求項３に記載の移動端末に記録されたデータを保護する方法。
【請求項５】  移動端末に記録されたデータを保護する移動端末データ保護システムにおいて、
前記データの保護を要求することを示す保護要求情報を記録する保護要求記録手段と、
前記移動端末が基地局と交信可能なエリア内に存在するか否かを判定する手段と、
前記移動端末が前記基地局と交信可能なエリア内に存在し、且つ、前記保護要求記録手段に保護要求情報が記録されている場合は該移動端末のキー操作を無効にし、前記移動端末が前記基地局と交信不可能なエリアに存在しているときは、パスワードが入力されたときに該パスワードが正しいか否かを判定する手段と、
入力されたパスワードが正しくないときは前記移動端末のキー操作を無効にし、入力されたパスワードが正しいときは該パスワード以外のキー操作を無効にする手段と
を備えた移動端末データ保護システム。
【請求項６】  さらに、前記基地局と交信不可能なエリアでキー操作を無効にされた移動端末が該基地局と交信可能なエリア内に移動したとき、前記移動端末のキー操作を無効にしたまま、該移動端末内のデータを前記位置登録局内のデータベースに転送する手段と、
前記データを受信した前記位置登録局が、受信したデータを前記データベース内に保存する手段とを備えた
請求項５に記載の移動端末データ保護システム。
【請求項７】  さらに、前記位置登録局が、前記移動端末内のデータを該位置登録局のデータベースに保存した後に、前記移動端末に対してデータ消去命令を送出する手段と、
前記移動端末が、受信したデータ消去命令に基づいて、該移動端末内のデータを消去する手段とを備えた
請求項６に記載の移動端末データ保護システム。
【請求項８】  さらに、前記移動端末の保護要求情報が前記保護要求記録手段より抹消されたとき、要求により、前記データベースに保存されている前記移動端末のデータを該移動端末へダウンロードする手段を備えた
請求項７に記載の移動端末データ保護システム。
【請求項９】  位置登録局内に設けられた保護要求記録部に移動端末の保護要求情報が記録された条件下で、該移動端末が基地局と交信不可能なエリアに存在するときに、間違ったパスワードが入力されたときはキー操作を無効にし、正しいパスワードが入力されたときは、該パスワード以外のキー操作を無効にする手段を備えた
移動端末。
【請求項１０】  さらに、前記基地局と交信不可能なエリアに存在する前記移動端末が該基地局と交信可能なエリア内に移動したとき、キー操作を無効にしたまま、自己に保存されているデータを位置登録局内のデータベースに転送する手段を備えた
請求項９に記載の移動端末。
【請求項１１】  さらに、自己に保存されているデータを前記位置登録局のデータベースに転送した後に、自己に保存されたデータを消去する手段を備えた
請求項１０に記載の移動端末。
【請求項１２】  さらに、前記移動端末の保護要求情報が抹消されたとき、要求により、前記位置登録局内のデータベースに保存されている自己のデータをダウンロードする手段を備えた
請求項１１に記載の移動端末。
【手続補正２】
【補正対象書類名】明細書
【補正対象項目名】００１９
【補正方法】変更
【補正の内容】
【００１９】
【課題を解決するための手段】
上記の目的を達成するために、本発明における移動端末に記録されたデータを保護する方法において、データの保護を要求することを示す保護要求情報を位置登録局内の保護要求記録手段に記録する第1のステップと、移動端末が基地局と交信可能なエリア内に存在するか否かを判定する第２のステップと、移動端末が基地局と交信可能なエリア内に存在し、且つ、保護要求記録手段に保護要求情報が記録されている場合は移動端末のキー操作を無効にし、移動端末が基地局と交信不可能なエリアに存在しているときは、パスワードが入力されたときにパスワードが正しいか否かを判定する第３のステップと、入力されたパスワードが正しくないときは移動端末のキー操作を無効にし、入力されたパスワードが正しいときはパスワード以外のキー操作を無効にする第４のステップとを含むことを特徴とする。
【手続補正３】
【補正対象書類名】明細書
【補正対象項目名】００２２
【補正方法】変更
【補正の内容】
【００２２】
また、本発明における移動端末に記録されたデータを保護する方法は、さらに、移動端末の保護要求情報が保護要求記録手段より抹消されたとき、要求により、データベースに保存されている前記移動端末のデータは該移動端末へダウンロードされる第９のステップを含むことを特徴とする。
【手続補正４】
【補正対象書類名】明細書
【補正対象項目名】００２３
【補正方法】変更
【補正の内容】
【００２３】
また、本発明の移動端末データ保護システムは、移動端末に記録されたデータを保護する移動端末データ保護システムにおいて、データの保護を要求することを示す保護要求情報を記録する保護要求記録手段と、移動端末が基地局と交信可能なエリア内に存在するか否かを判定する手段と、移動端末が基地局と交信可能なエリア内に存在し、且つ、保護要求記録手段に保護要求情報が記録されている場合は移動端末のキー操作を無効にし、移動端末が基地局と交信不可能なエリアに存在しているときは、パスワードが入力されたときにパスワードが正しいか否かを判定する手段と、入力されたパスワードが正しくないときは移動端末のキー操作を無効にし、入力されたパスワードが正しいときはパスワード以外のキー操作を無効にする手段とを備えたことを特徴とする。
【手続補正５】
【補正対象書類名】明細書
【補正対象項目名】００２６
【補正方法】変更
【補正の内容】
【００２６】
また、本発明の移動端末データ保護システムは、さらに、移動端末の保護要求情報が保護要求記録手段より抹消されたとき、要求により、データベースに保存されている移動端末のデータを移動端末へダウンロードする手段を備えたことを特徴とする。
【手続補正６】
【補正対象書類名】明細書
【補正対象項目名】００２７
【補正方法】変更
【補正の内容】
【００２７】
また、本発明の移動端末は、位置登録局内に設けられた保護要求記録部に移動端末の保護要求情報が記録された条件下で、該移動端末が基地局と交信不可能なエリアに存在するときに、間違ったパスワードが入力されたときはキー操作を無効にし、正しいパスワードが入力されたときは、該パスワード以外のキー操作を無効にする手段を備えたことを特徴とする。
【手続補正７】
【補正対象書類名】明細書
【補正対象項目名】００３０
【補正方法】変更
【補正の内容】
【００３０】
また、本発明の移動端末は、さらに、移動端末の保護要求情報が抹消されたとき、要求により、位置登録局内のデータベースに保存されている自己のデータをダウンロードする手段を備えたことを特徴とする。